【手続補正書】
【提出日】令和3年8月7日(2021.8.7)
【手続補正２】
【補正対象書類名】特許請求の範囲
【補正対象項目名】全文
【補正方法】変更
【補正の内容】
【特許請求の範囲】
【請求項１】
カメラ機構を有する対象者端末と管理サーバとを備え、両者の間での通信を含む情報処理によって上記対象者端末を保持する対象者の行動を管理するシステムであって、
上記対象者端末は、
所定の認証データを光学的に読取り可能なパターンコードとその周辺とを含む範囲が上記カメラ機構により撮影されたことに応じて、その撮影により取得した画像中のパターンコードから上記認証データを読み取ると共に、上記の撮影が行われた時刻を上記認証データの読取時刻として取得する読取手段と、
上記読取手段により読み取られた認証データおよび上記読取時刻を上記管理サーバに送信する第１の送信手段と、
上記の撮影により取得した画像を上記管理サーバに送信する第２の送信手段とを備え、
上記管理サーバは、
行動管理の対象者が行動すべき行動区域を表す行動区域認証データと、当該行動区域に対象者がいるべき時刻の範囲を表す時間データと、当該行動区域認証データを光学的に読取り可能なパターンコードであり上記行動区域に設置された行動区域コードとその周辺とを含む範囲の画像より成る行動区域コード画像とが、登録された認証データ格納手段と、
対象者の行動記録を保存するための行動記録格納手段と、
上記認証データ格納手段に登録されている行動区域認証データに一致する認証データと上記認証データ格納手段に登録されている時間データの範囲に入る読取時刻とを上記対象者端末から受信したことに応じて、当該認証データおよび当該読取時刻を対象者の行動記録として行動記録格納手段に保存する第１の記録手段と、
上記対象者端末から受信した画像を上記行動記録格納手段に保存された行動区域認証データに対応する行動区域コード画像と照合し、その照合の結果を上記行動記録格納手段に保存する第２の記録手段とを  備える、
ことを特徴とする行動管理システム。
【請求項２】
上記管理サーバの認証データ格納手段には、上記行動管理の対象者が行動すべき行動区域の位置を表す位置データが登録されており、
上記対象者端末は、ＧＰＳ衛星から当該対象者端末の端末位置を表す位置データを受信して上記管理サーバに送信する第３の送信手段を備え、
上記管理サーバは、上記対象者端末から受信した位置データを上記認証データ格納手段に登録されている位置データと照合し、その照合結果を上記行動記録格納手段に保存する第３の記録手段を備える、
請求項１に記載の行動管理システム。
【請求項３】
上記対象者端末は、上記第１および第２の送信手段による送信の後にあらかじめ決められた端末操作により所定のデータが生成されたことに応じて、当該データを実行確認データとして上記管理サーバに送信する第４の送信手段を備え、
上記管理サーバは、上記対象者端末から受信した実行確認データを上記行動記録格納手段に保存する第４の記録手段を備える、
請求項１または２に記載の行動管理システム。
【請求項４】
上記対象者端末は、上記認証データの読取時刻から上記実行確認データの生成を伴う端末操作の実行時刻までの時間が所定の時間を過ぎたとき、時間超過通知を上記管理サーバに送信する通知手段と、上記の通知後に上記管理サーバから再認証リクエストを受信し、上記実行時刻から所定の時間内に上記カメラ機構によるパターンコードの撮影が再び行われたことに応じて、当該撮影により取得した画像を上記管理サーバに送信する第５の送信手段とを、備え、
上記管理サーバは、上記対象者端末からの時間超過通知を受信したことに応じて当該対象者端末に上記再認証リクエストを送信するリクエスト送信手段と、当該再認証リクエストに応じて上記対象者端末から送信された画像を上記第２の記録手段により照合された行動区域コード画像と再照合し、その照合結果を前記行動記録格納手段に保存する照合手段とを備える、
請求項３に記載の行動管理システム。
【請求項５】
カメラ機構を有する対象者端末と管理サーバとを備えるシステムにおいて、上記対象者端末を保持する対象者の行動を管理するための方法であって、
上記対象者端末は、
所定の認証データを光学的に読取り可能なパターンコードとその周辺とを含む範囲が前記カメラ機構により撮影されたことに応じて、その撮影により取得した画像中のパターンコードから上記認証データを読み取ると共に、上記の撮影が行われた時刻を上記認証データの読取時刻として取得するステップと、
上記の読み取りにより得た認証データおよび上記読取時刻を上記管理サーバに送信するステップと、
上記の撮影により取得した画像を上記管理サーバに送信するステップと、
を実行し、
行動管理の対象者が行動すべき行動区域を表す行動区域認証データと、当該行動区域に対象者がいるべき時刻の範囲を表す時間データと、当該行動区域認証データを光学的に読取り可能なパターンコードであり上記行動区域に設置された行動区域コードとその周辺とを含む範囲の画像より成る行動区域コード画像とが、登録された上記管理サーバが、
上記対象者端末から上記登録された行動区域認証データに一致する認証データを受信したことに応じて、当該認証データおよび当該認証データと共に受信した読取時刻を対象者の行動記録として保存するステップと、
上記対象者端末から受信した画像を登録されている上記行動区域コード画像と照合し、その照合の結果を保存するステップとを、実行する、
ことを特徴とする行動管理方法。
【手続補正３】
【補正対象書類名】明細書
【補正対象項目名】発明の名称
【補正方法】変更
【補正の内容】
【発明の名称】行動管理システムおよび行動管理方法
【手続補正４】
【補正対象書類名】明細書
【補正対象項目名】０００１
【補正方法】変更
【補正の内容】
【０００１】
本発明は、行動を管理する対象者がいる位置と時刻を正確に把握することにより、上記対象者の行動を管理する行動管理システムおよび行動管理方法に関するものである。
【手続補正５】
【補正対象書類名】明細書
【補正対象項目名】０００５
【補正方法】変更
【補正の内容】
【０００５】
上記特許文献１は、複数の端末装置とこれらの端末装置のそれぞれと交信する機能を有する管理装置とにより、同一グループに所属するメンバーについてのメンバー相互の位置情報を通知する位置情報通知システムに関するもので、端末装置の位置をＧＰＳを利用して認識することが開示されている。また、メンバーが携帯する携帯可能情報記録媒体に媒体識別情報としてＱＲコード（登録商標）を利用し、メンバーの特定を行うことが開示されている。
【手続補正６】
【補正対象書類名】明細書
【補正対象項目名】０００６
【補正方法】削除
【補正の内容】
【手続補正７】
【補正対象書類名】明細書
【補正対象項目名】０００８
【補正方法】変更
【補正の内容】
【０００８】
上記問題に鑑み、 本発明は、 管理する対象者の位置と時刻を正確に把握することが可能な行動管理システムおよび行動管理方法を提供する。
【手続補正８】
【補正対象書類名】明細書
【補正対象項目名】０００９
【補正方法】変更
【補正の内容】
【０００９】
請求項１〜４に記載の発明は、行動管理の対象者が保持する対象者端末と、管理サーバとの間での通信を含む情報処理によって、対象者の行動を管理する行動管理システムに係るものである。 
上記対象者端末は、カメラ機構を有すると共に、以下の読取手段、第１の送信手段、第２の送信手段を具備する。
【手続補正９】
【補正対象書類名】明細書
【補正対象項目名】００１０
【補正方法】変更
【補正の内容】
【００１０】
読取手段は、所定の認証データを光学的に読取り可能なパターンコードおよびその周辺を含む範囲がカメラ機構により撮影されたことに応じて、その撮影により取得した画像中のパターンコードから上記認証データを読み取ると共に、上記の撮影が行われた時刻を上記認証データの読取時刻として取得する。
第１の送信手段は上記読取手段により読み取られた認証データおよび上記読取時刻を管理サーバに送信し、第２の送信手段は上記の撮影により取得した画像を管理サーバに送信する。
【手続補正１０】
【補正対象書類名】明細書
【補正対象項目名】００１１
【補正方法】変更
【補正の内容】
【００１１】
管理サーバは、行動管理の対象者が行動すべき行動区域を表す行動区域認証データと、当該行動区域に対象者がいるべき時刻の範囲を表す時間データと、当該行動区域認証データを光学的に読取り可能なパターンコードであり上記行動区域に設置された行動区域コードとその周辺とを含む範囲の画像より成る行動区域コード画像とが、登録された認証データ格納手段と、対象者の行動記録を保存するための行動記録格納手段とを備える。
さらに管理サーバは、認証データ格納手段に登録されている行動区域データに一致する認証データと認証データ格納手段に登録されている時間データの範囲に入る読取時刻とを上記対象者端末から受信したことに応じて、当該認証データおよび当該読取時刻を対象者の行動記録として行動記録格納手段に保存する第１の記録手段と、上記対象者端末から受信した画像を上記行動記録格納手段に保存した行動区域認証データに対応する行動区域コード画像と照合し、その照合の結果を上記行動記録格納手段に保存する第２の記録手段とを備える。
【手続補正１１】
【補正対象書類名】明細書
【補正対象項目名】００１２
【補正方法】変更
【補正の内容】
【００１２】
請求項２に記載の行動管理システムでは、管理サーバの認証データ格納手段に、さらに行動管理の対象者が行動すべき行動区域の位置を表す位置データが登録される。
対象者端末は、ＧＰＳ衛星から当該対象者端末の端末位置を表す位置データを受信して上記管理サーバに送信する第３の送信手段を備える。管理サーバは、対象者端末から受信した位置データを上記認証データ格納手段に登録されている位置データと照合し、その照合結果を行動記録格納手段に保存する第３の記録手段を備える。
【手続補正１２】
【補正対象書類名】明細書
【補正対象項目名】００１３
【補正方法】変更
【補正の内容】
【００１３】
請求項３に記載の行動管理システムでは、対象者端末は、第１および第２の送信手段による送信の後にあらかじめ決められた端末操作により所定のデータが生成されたことに応じて、当該データを実行確認データとして管理サーバに送信する第４の送信手段を備える。管理サーバは、対象者端末から受信した実行確認データを行動記録格納手段に保存する第４の記録手段を備える。
【手続補正１３】
【補正対象書類名】明細書
【補正対象項目名】００１４
【補正方法】変更
【補正の内容】
【００１４】
請求項４に記載の行動管理システムは、請求項３に記載の構成と共に、対象者端末に下記の通知手段および第５の送信手段を加え、管理サーバに下記のリクエスト送信手段および照合手段を加えた。
対象者端末の通知手段は、上記認証データの読取時刻から実行確認データの生成を伴う端末装置の実行時刻までの時間が所定の時間を過ぎたとき、時間超過通知を管理サーバに送信する。第５の送信手段は、上記の通知後に管理サーバから再認証リクエストを受信し、上記実行時刻から所定の時間内に上記カメラ機構によるパターンコードの撮影が再び行われたことに応じて、当該撮影により取得した画像を管理サーバに送信する。
管理サーバのリクエスト送信手段は、対象者端末からの時間超過通知を受信したことに応じて当該対象者端末に上記再認証リクエストを送信する。照合手段は、当該再認証リクエストに応じて対象者端末から送信された画像を上記第２の記録手段により照合された行動区域コード画像と再照合し、その照合結果を行動記録格納手段に保存する。
【手続補正１４】
【補正対象書類名】明細書
【補正対象項目名】００１５
【補正方法】変更
【補正の内容】
【００１５】
請求項５に記載の発明は、カメラ機構を有する対象者端末と管理サーバとを備えるシステムにおいて、上記対象者端末を保持する対象者の行動を管理するための方法に関する。上記対象者端末は、所定の認証データを光学的に読取り可能なパターンコードとその周辺とを含む範囲が前記カメラ機構により撮影されたことに応じて、その撮影により取得した画像中のパターンコードから上記認証データを読み取ると共に、上記の撮影が行われた時刻を上記認証データの読取時刻として取得するステップと、上記の読み取りにより得た認証データおよび上記読取時刻を上記管理サーバに送信するステップと、上記の撮影により取得した画像を上記管理サーバに送信するステップとを、実行する。
管理サーバには、行動管理の対象者が行動すべき行動区域を表す行動区域認証データと、当該行動区域に対象者がいるべき時刻の範囲を表す時間データと、当該行動区域認証データを光学的に読取り可能なパターンコードであり上記行動区域に設置された行動区域コードとその周辺とを含む範囲の画像より成る行動区域コード画像とが、登録される。
当該管理サーバは、対象者端末から上記登録された行動区域認証データに一致する認証データを受信したことに応じて、当該認証データおよび当該認証データと共に受信した読取時刻を対象者の行動記録として保存するステップと、上記対象者端末から受信した画像を登録されている上記行動区域コード画像と照合し、その照合の結果を保存するステップとを実行する。
【手続補正１５】
【補正対象書類名】明細書
【補正対象項目名】００１６
【補正方法】変更
【補正の内容】
【００１６】
請求項１および５に記載の発明によれば、対象者端末が行動区域に設置された行動区域コードを撮影して得た画像から読み取って管理サーバに送信した認証データが管理サーバに登録されている行動区域認証データに一致し、上記の読み取りのための撮影が行われた時刻（読取時刻）が管理サーバに登録されている時間データの範囲に入ったことに応じて、上記認証データおよび読取時刻が対象者の行動記録として管理サーバの行動記録格納手段に保存される。
さらに、上記の撮影により生成された画像（行動区域コードおよびその周辺を含む範囲の画像）も管理サーバに送信され、管理サーバに登録されている行動区域コード画像と照合されて、その照合結果が行動記録格納手段に保存されるので、行動管理の対象者が、あらかじめ決められた行動区域にあらかじめ決められた時刻の範囲内にいたことを正確に把握することができる。
【手続補正１６】
【補正対象書類名】明細書
【補正対象項目名】００１７
【補正方法】変更
【補正の内容】
【００１７】
請求項２に記載の発明によれば、対象者端末がＧＰＳ衛星から取得した当該対象者端末の位置データを管理サーバに登録されている上記行動区域の位置データと照合することによっても、対象者の位置を把握することができる。
【手続補正１７】
【補正対象書類名】明細書
【補正対象項目名】００１８
【補正方法】変更
【補正の内容】
【００１８】
請求項３に記載の発明によれば、上記対象者端末があらかじめ決められた所定の端末操作を実行したことに応じて、その操作により生成された実行確認データが管理サーバに送信され、行動記録格納手段に保存される。
【手続補正１８】
【補正対象書類名】明細書
【補正対象項目名】００１９
【補正方法】変更
【補正の内容】
【００１９】
上記端末操作として、たとえば、写真撮影、動画撮影、データ入力、音声録音、外部端末からのデータ入力等をあげることができる。上記実行確認データは、上記写真撮影で得られた画像データ、上記動画撮影で得られた動画データ、上記データ入力で入力されたデータ、上記音声録音で録音された音声データ、上記外部端末から入力されたデータ等である。本発明によれば、上記各操作が、あらかじめ決められた行動区域で決められた時間内に実行されたことを確認できる。このように、管理する対象者の位置と時刻および対象者端末の操作を正確に把握し、上記対象者の行動を管理することができる。
【手続補正１９】
【補正対象書類名】明細書
【補正対象項目名】００２０
【補正方法】変更
【補正の内容】
【００２０】
請求項４に記載の発明によれば、上記対象者端末があらかじめ決められた所定の端末操作が実行されたときの時刻が認証データの読取時刻から所定の時間内でなかった場合に、対象者端末から管理サーバに時間超過通知が送信され、これに応じて管理サーバから対象者端末に再認証リクエストが送信される。さらに上記再認証リクエストの受信に応じて対象者端末で上記行動区域コードが再度撮影されると、生成された画像が管理サーバに送信され、第２の記録手段により照合された行動区域コード画像との再照合が行われ、その照合結果が行動記録格納手段に保存される。
よって、対象者端末から送信された画像が行動区域コード画像に一致するという照合結果が得られたことをもって、上記対象者端末を保有する行動管理の対象者が、上記再撮影のときにあらかじめ決められた行動区域にいたと把握することができる。
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００３１
【補正方法】変更
【補正の内容】
【００３１】
上記行動区域認証データは、上記行動区域コードを読み取って得られるデータである。すなわち上記行動区域認証データは、上記行動区域コードの画像データおよび当該行動区域コードが設置された行動区域を特定する情報である。
【手続補正２３】
【補正対象書類名】明細書
【補正対象項目名】００３５
【補正方法】変更
【補正の内容】
【００３５】
また、上記対象者端末２では、上記行動区域認証データを読み取った読取時刻を、データ格納部４２に格納することにより記録する。
【手続補正２４】
【補正対象書類名】明細書
【補正対象項目名】００４８
【補正方法】変更
【補正の内容】
【００４８】
上記管理サーバ１は、上記行動区域に対応する行動区域コード画像をあらかじめ格納しておき、上記現場端末２において撮影された行動区域コード画像を受信する。上記管理サーバ１では、格納しておいたコード画像と受信した行動区域コード画像の双方を画像解析し、解析画像を対比する。解析画像の対比の結果、両者の一致性を認められれば、認証する。解析画像の対比の結果、両者の一致性が認められなければ、認証を拒否する。上記対象者端末２から受信した行動区域コード画像を認証することにより、当該行動区域コードが、対応する行動区域の設置場所から移動されていないことが担保される。
【手続補正２５】
【補正対象書類名】明細書
【補正対象項目名】００７３
【補正方法】変更
【補正の内容】
【００７３】
〔データ格納部４２〕
上記データ格納部４２は、画像データ，時刻データ，位置データ，その他のデータを格納する。上記画像データは、たとえば行動区域コードを読み取ることにより得た行動区域コード画像等である。上記時刻データは、たとえば上記読取時刻である。上記位置データは、たとえばＧＰＳ衛星から受信した当該対象者端末２の位置情報である。また、上記読み取った行動区域コードから変換された行動区域認証データを格納する。また、上記操作認証機能の実行で取得する実行確認データを格納する。さらに、上記基本認証機能において、上記行動区域認証データを読み取った読取時刻を格納し記録する。
【手続補正２６】
【補正対象書類名】明細書
【補正対象項目名】００７７
【補正方法】変更
【補正の内容】
【００７７】
〔内部クロック５９〕
上記内部クロック５９は、上記対象者端末２のカメラ機構４５が上記行動区域コードの画像データを取得した時刻を計測する。
【手続補正２７】
【補正対象書類名】明細書
【補正対象項目名】００９７
【補正方法】変更
【補正の内容】
【００９７】
本実施形態は、上記対象者端末が、ＧＰＳ衛星から当該対象者端末の端末位置を受信して上記管理サーバに送信する。上記管理サーバは、上記対象者端末から受信した上記端末位置を、当該管理サーバに保持している上記行動区域の位置と照合して認証し、当該照合の結果と時刻を記録する。
これにより、上記対象者端末の端末位置を、あらかじめ予定していた行動区域の位置と照合して認証し、ＧＰＳ衛星からの位置情報によっても確認できる。したがって、管理する対象者の位置と時刻を正確に把握し、上記対象者の行動を管理することができる。
【手続補正２８】
【補正対象書類名】明細書
【補正対象項目名】０１１１
【補正方法】変更
【補正の内容】
【０１１１】
会社はＡ氏にテレワークの日の行動の予定の提出を求める。どこで何をしたのかをＡ氏が管理サーバ１に予め登録したテレワークの行動区域であれば、それを認証する。所定の行動区域外であれば認証しない。
【手続補正２９】
【補正対象書類名】図面
【補正対象項目名】図２
【補正方法】変更
【補正の内容】
【図２】
2020027377.tif 000001